(57)【要約】【課題】複数の振動子を備え、振動伝達性に優れた振動装置及びそのような振動装置を用いた電子機器を提供することを目的の一つとする。【解決手段】複数の振動子と、一方側に前記複数の振動子が設けられた振動部材と、を備え、前記振動部材は、ベース部と、前記複数の振動子のそれぞれに対応して設けられ、前記ベース部より前記一方側と逆側の他方側に突出する突出部と、を備え、前記突出部は、前記振動子が設けられている領域を含む位置に設けられることを特徴とする振動装置。【選択図】図１
2015121918.tif 000002
【特許請求の範囲】
【請求項１】
複数の振動子と、
一方側に前記複数の振動子が設けられた振動部材と、
を備え、
前記振動部材は、ベース部と、前記複数の振動子のそれぞれに対応して設けられ、前記ベース部より前記一方側と逆側の他方側に突出する突出部と、を備え、
前記突出部は、前記振動子が設けられている領域を含む位置に設けられることを特徴とする振動装置。
【請求項２】
前記複数の振動子同士の間のうち、少なくとも一部には、前記ベース部が設けられている、請求項１に記載の振動装置。
【請求項３】
前記複数の振動子各々を頂点とする多角形を規定した場合に、
一の振動子と、前記一の振動子が配置されている前記多角形の頂点と隣り合う前記多角形の頂点に配置されている他の振動子と、の間には、前記ベース部が設けられている、請求項２に記載の振動装置。
【請求項４】
前記突出部は、複数設けられ、
前記突出部は、前記振動子ごとに互いに離間して設けられる、請求項１から３のいずれか一項に記載の振動装置。
【請求項５】
前記突出部は、前記ベース部より前記他方側に突出する突出面を有する第１壁部と、前記第１壁部と前記ベース部とを接続する第２壁部と、を備え、
前記振動子は、前記第１壁部に設けられている、請求項１から４のいずれか一項に記載の振動装置。
【請求項６】
前記振動部材における前記複数の振動子同士の間には、振動の伝播を調節する振動調節部が設けられている、請求項１から５のいずれか一項に記載の振動装置。
【請求項７】
前記振動調節部は、前記突出部に設けられている、請求項６に記載の振動装置。
【請求項８】
請求項１から７のいずれか一項に記載の振動装置を備えることを特徴とする電子機器。
【発明の詳細な説明】
【技術分野】
【０００１】
本発明は、振動装置及び電子機器に関する。
【背景技術】
【０００２】
複数の振動子が設けられた振動装置によって、操作者に情報を伝達する電子機器が提案されている（例えば、特許文献１）。
特許文献１では、複数の振動アクチュエータが設けられたタッチパネル式の携帯情報端末が開示されている。
【先行技術文献】
【特許文献】
【０００３】
【特許文献１】特開２００４−９４３８９号公報
【発明の概要】
【発明が解決しようとする課題】
【０００４】
上記のような振動装置では、振動子の振動は電子機器のカバー部等に伝達され、カバー部等全体が振動することによってユーザに振動を伝達する。そのため、ユーザがカバー部等における振動子が設けられていない位置に接触した場合であっても、ユーザに振動子の振動が伝達されてしまう。その結果、例えば、振動している振動子の位置をユーザが認識しにくい等、ユーザに複数の振動子の振動を良好に伝達することが困難であるという問題があった。
【０００５】
本発明の一つの態様は、上記の問題点に鑑みて成されたものであって、複数の振動子を備え、振動伝達性に優れた振動装置及びそのような振動装置を用いた電子機器を提供することを目的の一つとする。
【課題を解決するための手段】
【０００６】
本発明の振動装置の一つの態様は、複数の振動子と、一方側に前記複数の振動子が設けられた振動部材と、を備え、前記振動部材は、ベース部と、前記複数の振動子のそれぞれに対応して設けられ、前記ベース部より前記一方側と逆側の他方側に突出する突出部と、を備え、前記突出部は、前記振動子が設けられている領域を含む位置に設けられることを特徴とする。
【０００７】
また、本発明の電子機器の一つの態様は、本発明の振動装置を備えることを特徴とする。
【発明の効果】
【０００８】
本発明の一つの態様によれば、複数の振動子を備え、振動伝達性に優れた振動装置及びそのような振動装置を用いた電子機器が提供される。
【図面の簡単な説明】
【０００９】
【図１】第１実施形態の表示装置を示す斜視図である。
【図２】第１実施形態の表示装置を示す分解斜視図である。
【図３】第１実施形態の表示装置の構成の一例を示すブロック図である。
【図４】第１実施形態の振動装置を示す図であって、（Ａ）は、平面図、（Ｂ）は、図４（Ａ）におけるＡ−Ａ断面図、（Ｃ）は、図４（Ａ）におけるＢ−Ｂ断面図である。
【図５】第１実施形態の振動装置と本体部との接触状態を示す部分拡大断面図である。
【図６】ユーザが移動感を得ることができる仮現運動を説明するための説明図である。
【図７】第１実施形態の表示装置をユーザが把持した状態の一例を示す図である。
【図８】第１実施形態の表示装置の効果を説明する説明図である。
【図９】第１実施形態における振動装置と本体部との接触状態の他の例を示す部分拡大断面図である。
【図１０】第１実施形態における振動装置と本体部との接触状態の他の例を示す部分拡大断面図である。
【図１１】第２実施形態の表示装置を示す斜視図である。
【図１２】第２実施形態の表示装置を示す分解斜視図である。
【図１３】第２実施形態の振動装置を示す図であって、（Ａ）は、平面図、（Ｂ）は、図１３（Ａ）におけるＣ−Ｃ断面図、（Ｃ）は、図１３（Ａ）におけるＤ−Ｄ断面図である。
【発明を実施するための形態】
【００１０】
以下、図を参照しながら、本発明の実施形態に係る電子機器について説明する。
以下の説明において、「振動エフェクト」とは、定位感及び移動感などを生じさせることによって、ユーザに与える振動の演出効果である。「定位感」とは、ファントム・センセーション（Ｐｈａｎｔｏｍ  Ｓｅｎｓａｔｉｏｎ）、すなわち、ユーザの皮膚の２点を同時に振動させた（刺激した）場合に、その２点の間にある特定の位置に、あたかも振動の定位があるようにユーザが感じる感覚である。「移動感」とは、仮現運動（Ａｐｐａｒｅｎｔ  Ｍｏｖｅｍｅｎｔ）、すなわち、ユーザの皮膚の２点を位相差及び出力差を持たせて振動させた（刺激した）場合に、振動の定位が移動しているようにユーザが感じる感覚である。
【００１１】
なお、本発明の範囲は、以下の実施の形態に限定されるものではなく、本発明の技術的思想の範囲内で任意に変更可能である。また、以下の図面においては、各構成をわかりやすくするために、実際の構造と各構造における縮尺や数等を異ならせる場合がある。
本実施形態においては、電子機器としてタッチディスプレイを備えた表示装置を例示して説明する。
【００１２】
まず、第１実施形態について説明する。
図１（Ａ），（Ｂ）、図２及び図３は、本実施形態の表示装置（電子機器）１を示す図である。図１（Ａ）は、表示装置１をタッチディスプレイ２側から見た斜視図である。図１（Ｂ）は、表示装置１を振動装置４側から見た斜視図である。図２は、表示装置１の分解斜視図である。図３は、表示装置１の構成の一例を示すブロック図である。
【００１３】
なお、以下の説明においてはＸＹＺ座標系を設定し、このＸＹＺ座標系を参照しつつ各部材の位置関係を説明する。この際、タッチディスプレイ２（図１（Ａ）参照）の面に垂直な方向をＺ軸方向、タッチディスプレイ２の面と平行で、かつ、タッチディスプレイ２の外周の一辺と平行な方向をＸ軸方向、Ｘ軸方向とＺ軸方向の両方と直交する方向をＹ軸方向とする。また、Ｚ軸方向においては、振動装置４からタッチディスプレイ２に向かう向きを＋Ｚの向きとする。
また、以下の説明においては、タッチディスプレイ２が設けられている側（＋Ｚ側）を表示側、振動装置４が設けられている側（−Ｚ側）を把持側と称する。
【００１４】
本実施形態の表示装置１は、図１（Ａ），（Ｂ）及び図２に示すように、平面視（ＸＹ面視）矩形状である。表示装置１は、タッチディスプレイ２と、振動装置４と、蓋部５と、本体部３とを備える。
【００１５】
タッチディスプレイ２は、図１（Ａ）及び図３に示すように、表示部２０ａと、操作部２０ｂとを備える。
表示部２０ａは、例えば、液晶ディスプレイ（ＬＣＤ：Ｌｉｑｕｉｄ  Ｃｒｙｓｔａｌ  Ｄｉｓｐｌａｙ）を備えている。表示部２０ａは、後述する制御部３２０の制御に従って、ユーザの視覚に働く情報を提供する。例えば、表示部２０ａは、後述する振動付きコンテンツに含まれる画像データに基づいて画像（動画，静止画）を表示画面に表示する。
【００１６】
操作部２０ｂは、表示部２０ａに対して本体部３側に設けられたタッチパネルである。操作部２０ｂに用いられるタッチパネルとしては、特に限定されず、公知のいかなるタッチパネルを用いることもできる。操作部２０ｂは、表示部２０ａを介して、ユーザのタッチ操作を受け付ける。操作部２０ｂは、操作に応じた信号を後述する制御部３２０に通知する。
【００１７】
図４（Ａ）〜図４（Ｃ）は、振動装置４を示す図である。図４（Ａ）は、平面図（ＸＹ面図）である。図４（Ｂ）は、図４（Ａ）におけるＡ−Ａ断面図（ＺＸ断面図）である。図４（Ｃ）は、図４（Ａ）におけるＢ−Ｂ断面図（ＺＸ断面図）である。
振動装置４は、図４（Ａ）〜図４（Ｃ）に示すように、振動部材４００と、複数の振動子４５（振動子４５ａ，４５ｂ，４５ｃ，４５ｄ）とを備える。
振動部材４００は、ベース部４０と、突出部４１とを備える。
ベース部４０は、平面視矩形状である。ベース部４０の縁部には、図４（Ｂ）に示すように、ベース部４０からタッチディスプレイ２が設けられている表示側（一方側，＋Ｚ側）に突出して接触部４９が設けられている。
【００１８】
突出部４１は、ベース部４０の表面４３ａから、タッチディスプレイ２とは逆側の把持側（他方側，−Ｚ側）に突出して設けられている。突出部４１は、図４（Ａ）及び図４（Ｃ）に示すように、平面視（ＸＹ面視）Ｘ字形状で、内部が空洞となっている柱状体である。突出部４１は、図４（Ｃ）に示すように、ベース部４０よりも把持側（−Ｚ側）に突出した突出面４３ｂを有する第１壁部４１ａと、第１壁部４１ａとベース部４０とを接続する第２壁部４１ｂとを備える。突出部４１におけるＸ字形状の各先端部（以下、単に各先端部と称する）は、ベース部４０の隅（角部）に位置している。
【００１９】
突出部４１の各先端部における第１壁部４１ａの表示側（＋Ｚ側）には、それぞれ振動子４５（振動子４５ａ，４５ｂ，４５ｃ，４５ｄ）が設けられている。言い換えると、突出部４１は、平面視（ＸＹ面視）で振動子４５が設けられている領域を含む位置に設けられている。振動子４５は、後述する制御部３２０の制御に従って、ユーザの触覚に働く情報を提供する。例えば、振動子４５は、振動付きコンテンツに含まれる振動データに基づいて振動を発生させる。各振動子４５の種別は、ボイスコイルモータ（ＶＣＭ：Ｖｏｉｃｅ  Ｃｏｉｌ  Ｍｏｔｏｒ）でもよいし、スピーカでもよい。各振動子４５は、図４（Ａ）に仮想線で示す配置線（多角形）ｐの各頂点に位置するようにして、それぞれ配置されている。言い換えると、配置線ｐは、複数の振動子４５各々を頂点として規定されている。配置線ｐは、本実施形態においては、平面視四角形状である。配置線ｐの各辺は、ベース部４０の外周の各辺とそれぞれ平行である。
【００２０】
突出部４１には、括れ部４８（括れ部４８ａ，４８ｂ，４８ｃ，４８ｄ）が形成されている。括れ部４８は、突出部４１における、配置線ｐの一の頂点に配置された一の振動子４５と、配置線ｐの一の頂点と隣り合う他の頂点に配置された他の振動子４５との間の位置にそれぞれ設けられている。本実施形態においては、配置線ｐの各辺がベース部４０の外周の各辺と平行となるように設けられているため、括れ部４８は、ベース部４０の平面視における外周の各辺に平行な方向（Ｘ軸方向及びＹ軸方向）に並ぶ振動子４５同士の間に設けられている。すなわち、括れ部４８ａは、振動子４５ａと振動子４５ｂとの間に形成されている。括れ部４８ｂは、振動子４５ｂと振動子４５ｄとの間に形成されている。括れ部４８ｃは、振動子４５ａと振動子４５ｃとの間に形成されている。括れ部４８ｄは、振動子４５ｃと振動子４５ｄとの間に形成されている。
【００２１】
なお、以下の説明において特に断りがない場合には、各振動子４５同士の間とは、ベース部４０の平面視における外周の各辺に平行な方向（Ｘ軸方向及びＹ軸方向）に並ぶ振動子４５同士の間を意味するものとする。また、以下の説明において特に断りがない場合には、隣り合う振動子４５とは、ベース部４０の平面視における外周の各辺に平行な方向（Ｘ軸方向及びＹ軸方向）に隣り合う振動子４５を意味するものとする。
【００２２】
図４（Ａ）に示すように、各括れ部４８は、各振動子４５同士の間を突出部４１の中央側（内側）へと湾曲して形成されている。括れ部４８が設けられていることによって、各振動子４５同士の間には、ベース部４０が設けられている。
【００２３】
突出部４１の突出面４３ｂの中央には、図４（Ａ），（Ｂ）に示すように、平面視円形状の凹部４４が形成されている。凹部４４の底面の中央には、図４（Ａ），（Ｂ）に示すように、第１壁部４１ａを突出面４３ｂに垂直な方向（Ｚ軸方向）に貫通する貫通孔４７が形成されている。
【００２４】
凹部４４の底面における貫通孔４７の周囲には、締結孔部４６（締結孔部４６ａ，４６ｂ，４６ｃ，４６ｄ）が形成されている。各締結孔部４６は、振動装置４を平面視（ＸＹ面視）した際に、各振動子４５同士の間を結ぶ線を垂直に２等分する線上に位置するようにして設けられている。各締結孔部４６は、各振動子４５同士の間を結ぶ線よりも、突出部４１の中央側（貫通孔４７側）に位置するようにして設けられている。各振動子４５から最も距離が近い締結孔部４６までの距離は、振動子４５ａ〜振動子４５ｄのいずれにおいても略同一となるように設定されている。振動装置４は、各締結孔部４６を介して、例えば、ネジ等の締結部材によって本体部３と締結される。
【００２５】
突出部４１の側面（ＸＹ面と略垂直に交差する面）、言い換えると、突出部４１の第２壁部４１ｂの面には、図２及び図４（Ｂ），（Ｃ）に示すように、振動の伝播を調節するスリット部（振動調節部）４２（スリット部４２ａ，４２ｂ，４２ｃ，４２ｄ）が形成されている。スリット部４２は、突出部４１の第２壁部４１ｂを、第２壁部４１ｂの面に垂直な方向に貫通して形成されている。スリット部４２の平面視（第２壁部４１ｂの面に垂直な方向から視た）形状は、矩形状である。各スリット部４２は、振動装置４を平面視（ＸＹ面視）した際に、各振動子４５同士の間を結ぶ線を垂直に２等分する線上で、かつ、各振動子４５同士の間を結ぶ線よりも中央側（貫通孔４７側）に位置するようにして設けられている。すなわち、各スリット部４２と各締結孔部４６とは、それぞれ対応した位置に設けられている。
【００２６】
蓋部５は、図１（Ｂ）及び図２に示すように、平面視円形状の平板である。蓋部５は、凹部４４に取り外し可能に嵌合され、貫通孔４７を閉塞する。蓋部５の固定方法は、特に限定されない。例えば、蓋部５の固定方法としては、蓋部５の表示側（＋Ｚ側）の面と、本体部３において蓋部５と接触する箇所と、に蓋部５を回転させることで蓋部５の上下方向（Ｚ軸方向）の移動が抑制されるような噛み合い式の固定機構を設けることによって、蓋部５を固定する方法が選択できる。
【００２７】
本体部３は、図３に示すように、スピーカ３１０と、制御部３２０と、送受信部３３０と、フォーマット情報記憶部３４０と、コンテンツ記憶部３５０とを備える。本体部３の各構成要素は、図示は省略するが、図２に示す平面視矩形状の枠状部３０内に収容されている。枠状部３０の内側には、図２に示すように、枠状部３０の内壁から内側にほぼ垂直に突出した枠状の支持部３１が形成されている。
【００２８】
図５は、振動装置４のベース部４０の縁部における本体部３との接触状態を示す部分拡大断面図である。
支持部３１の把持側（−Ｚ側）の面上には、図２及び図５に示すように、弾性部材３２が設けられている。弾性部材３２としては、弾性を有する部材であれば特に限定されない。弾性部材３２の高さ（Ｚ軸方向長さ）Ｈ１は、ベース部４０における上下方向（Ｚ軸方向）の振動の振幅等に応じて決定できる。このような弾性部材３２を設けることにより、振動を阻害することなく防塵性、防水性等の機能を保持することができる。また、弾性部材３２の形状としては、上記のものに限られず、例えば、シート形状や、蛇腹形状としてもよい。
本体部３におけるスピーカ３１０と、タッチディスプレイ２における表示部２０ａと、振動装置４における振動子４５とを合わせて再生部１００とも称する。
【００２９】
フォーマット情報記憶部３４０は、振動装置４を振動させるための振動データ（ＶＩＢデータとも称する）を含む振動ファイル（ＶＩＢファイルとも称する）のフォーマット情報を記憶する。
【００３０】
フォーマット情報には、リストタイプ「ｖｉｂｌ」を示す情報と、ＶＩＢデータのフォーマットのバージョンを示す情報と、作成時分（作成時刻）を示す情報と、更新日を示す情報と、更新時分（更新時刻）を示す情報と、エンコードツール（ツール名称など）を示す情報と、ジャンル（例えば、画像（映像）、音声、ハプティック（Ｈａｐｔｉｃ）、ゲーム）を示す情報と、ＶＩＢファイルのメーカーコードを示す情報と、保護情報（プロテクトの有無）を示す情報と、振動時間（再生時間）を示す情報と、振動子デバイス情報（例えば、振動子のメーカーの識別情報、振動子の種別情報）と、振動ｃｈ（チャンネル）割当を示す情報と、振動周波数帯域（単一周波数、広帯域）を示す情報と、ユーザコメントを示す情報と、ＧＰＳ（Ｇｌｏｂａｌ  Ｐｏｓｉｔｉｏｎｉｎｇ  Ｓｙｓｔｅｍ）情報（ジオタグ）とが含まれる。
【００３１】
また、ＶＩＢファイルには、ＶＩＢファイル（ＶＩＢデータ）自体のバージョンを示す情報と、データ領域に含まれている波形データ（振動データの実体）の種別を示す情報と、振動ｃｈ（チャンネル）の数（振動子の数）を示す情報と、サンプリングレート（波形データのサンプリング周波数）を示す情報と、サンプリングビット（波形データの量子化ビット数）を示す情報とが含まれる。
【００３２】
なお、波形データの種別としては、例えば、ＰＣＭフォーマットを有するＶＰＣＭデータ、ＡＡＣフォーマットを有するＶＡＡＣデータなどがある。なお、ＶＰＣＭデータとは、非圧縮の波形データであるＰＣＭ（Ｐｕｌｓｅ  Ｃｏｄｅ  Ｍｏｄｕｌａｔｉｏｎ）データに対し、ユーザが振動エフェクトを得ることができるように処理を施した波形データである。また、ＶＡＡＣデータデータとは、圧縮の波形データであるＡＡＣ（Ａｄｖａｎｃｅｄ  Ａｕｄｉｏ  Ｃｏｄｉｎｇ）データに対し、ユーザが振動エフェクトを得ることができるように処理を施した波形データである。ＶＰＣＭデータやＶＡＡＣデータには、振動エフェクトをより得るためにトーンバーストが含められてもよい。
【００３３】
なお、作成日を示す情報と、作成時分（作成時刻）を示す情報と、更新日を示す情報と、更新時分（更新時刻）を示す情報と、ＶＩＢデータのフォーマットのバージョンを示す情報と、ＶＩＢファイル（ＶＩＢデータ）自体のバージョンを示す情報と、データ領域に含まれている波形データの種別を示す情報と、振動ｃｈの数を示す情報と、サンプリングレートを示す情報と、サンプリングビットを示す情報と、ファイル所有者を示す情報と、ファイル作成者を示す情報と、タイトルを示す情報と、コメントを示す情報と、エンコードツールを示す情報と、ジャンルを示す情報と、ＶＩＢファイルのメーカーコードを示す情報と、保護情報を示す情報と、振動時間を示す情報と、振動子デバイス情報と、振動ｃｈ割当を示す情報と、振動周波数帯域を示す情報と、ユーザコメントを示す情報と、ＧＰＳ情報（ジオタグ）とを纏めて、ＶＩＢ情報とも称する。なお、フォーマット情報は、予め作成し、フォーマット情報記憶部３４０に記憶しておく。
【００３４】
コンテンツ記憶部３５０は、例えば、外部に設けられるコンテンツ配信装置（図示せず）によって配信された振動付きコンテンツを記憶する。振動付きコンテンツとしては、例えば、学習用の振動付きコンテンツが挙げられる。なお、コンテンツ記憶部３５０に記憶されている振動付きコンテンツは、制御部３２０の制御に従って再生部１００で再生される。また、コンテンツ記憶部３５０に記憶されるコンテンツが、振動付きコンテンツに限られないことは言うまでもない。
【００３５】
送受信部３３０は、他の装置（例えば、外部に設けられたコンテンツ配信装置）との間で情報を送受信する。例えば、送受信部３３０は、制御部３２０の制御に従って、振動付きコンテンツの配信要求を外部に設けられたコンテンツ配信装置に送信する。また、送受信部３３０は、コンテンツ配信装置から配信された振動付きコンテンツを受信する。送受信部３３０は、コンテンツ配信装置から受信した振動付きコンテンツをコンテンツ記憶部３５０に記憶する（書き込む）。送受信部３３０によって送受信されるコンテンツが、振動付きコンテンツに限られないことは言うまでもない。
【００３６】
スピーカ３１０は、制御部３２０の制御に従って、ユーザの聴覚に働く情報を提供する。例えば、スピーカ３１０は、振動付きコンテンツに含まれる音声データに基づいて音声（音，声）を出力する。
【００３７】
制御部３２０は、表示装置１の各部（タッチディスプレイ２，送受信部３３０，再生部１００）を制御する。制御部３２０は、例えば、操作部２０ｂの操作に応じた振動付きコンテンツをコンテンツ記憶部３５０から読み出し、読み出した振動付きコンテンツを再生（画像表示，音声出力，振動発生）するように再生部１００（表示部２０ａ，スピーカ３１０，振動子４５）を制御する。すなわち、制御部３２０は、振動付きコンテンツに含まれる画像データに従って表示部２０ａを制御する。また、制御部３２０は、振動付きコンテンツに含まれる音声データに従ってスピーカ３１０を制御する。また、制御部３２０は、振動付きコンテンツに含まれる振動データ（ＶＰＣＭデータまたはＶＡＡＣデータ）に従って振動子４５を制御する。制御部３２０の制御に従って、再生部１００（表示部２０ａ，スピーカ３１０，振動子４５）は、例えば、振動付きコンテンツを再生（画像表示，音声出力，振動発生）する。
【００３８】
ここで、制御部３２０が振動子４５を制御する場合には、制御部３２０は、フォーマット情報記憶部３４０に記憶されているフォーマット情報に従って振動データを構文解析する。そして、制御部３２０は、振動データの解析結果に応じて振動子４５を制御する。すなわち、構文解析によって、振動付きコンテンツに含まれる振動データから振動子４５を振動させるための情報が生成される。
【００３９】
上記表示装置１の組立方法としては、本体部３を挟むようにして、本体部３にタッチディスプレイ２と振動装置４とをそれぞれ対向させて締結する。そして、振動装置４の凹部４４に蓋部５を嵌合させて、貫通孔４７を閉塞する。これにより、表示装置１が組み立てられる（図１（Ａ），（Ｂ）参照）。タッチディスプレイ２と振動装置４とは、それぞれ表示装置１の筐体の一面を形成している。
【００４０】
ここで、振動装置４と本体部３とは、図５に示すように、ベース部４０の接触部４９と支持部３１とが弾性部材３２を介して接触した状態で締結される。このとき、振動装置４のベース部４０に歪みが生じていることによって本体部３の支持部３１とベース部４０の接触部４９との距離が一定でないような場合がある。このような場合においては、支持部３１上に設けられた弾性部材３２が、支持部３１と接触部４９との距離に応じた量で変形する。これにより、本体部３と振動装置４とが、支持部３１と接触部４９との間に隙間が生じることが抑制された状態で、締結される。
【００４１】
次に、ユーザによる表示装置１の操作について説明する。
ユーザがタッチディスプレイ２の表示部２０ａに接触することによって、接触した表示部２０ａの箇所に応じて操作部２０ｂが操作される。操作部２０ｂの操作情報は、図３に示すように、制御部３２０へと伝達される。制御部３２０は、操作部２０ｂからの操作情報に従って、コンテンツ記憶部３５０に記憶されたコンテンツを再生するように再生部１００（表示部２０ａ，スピーカ３１０，振動子４５）を制御する。そして、再生部１００は、制御部３２０の制御に従って、コンテンツ記憶部３５０に記憶されたコンテンツ、すなわち、ユーザによる操作部２０ｂの操作に応じたコンテンツを再生する。これにより、ユーザは、タッチディスプレイ２の表示部２０ａに接触する操作によって、表示装置１から所望の画像、音声及び振動を得ることができる。
【００４２】
ユーザが表示装置１から得ることができる振動について、より詳細には、各振動子４５は、制御部３２０からの信号に基づいて、それぞれ同一または異なる周期・振幅の振動を発生する。各振動子４５が振動することにより、振動部材４００、特に振動部材４００の突出部４１が振動する。ユーザが振動部材４００（突出部４１）に接触することで、各振動子４５の振動が、振動部材４００を介してユーザに伝達される。
【００４３】
図６は、ユーザが移動感を得ることができる仮現運動を説明するための説明図である。
説明の便宜上、表示装置１の筐体の中心を、設定したＸＹＺ座標系の原点とする。原点に対する表示装置１上の座標を、（Ｘ，Ｙ）＝（−１．０〜＋１．０，−１．０〜＋１．０）と定義する。振動子４５ａは、一例として、座標（−０．９，＋０．９）に配置されている。また、振動子４５ｂは、一例として、座標（＋０．９，＋０．９）に配置されている。また、振動子４５ｃは、一例として、座標（−０．９，−０．９）に配置されている。また、振動子４５ｄは、一例として、座標（＋０．９，−０．９）に配置されている。
【００４４】
表示装置１において、ある振動付きコンテンツを再生した場合に、表示装置１は、当該振動付きコンテンツに含まれる画像データに従って表示部２０ａに画像（動画）を表示し、当該振動付きコンテンツに含まれる音声データに従ってスピーカ３１０から音声を出力し、当該振動付きコンテンツに含まれる振動データに従って振動子４５（振動子４５ａ〜振動子４５ｄの４つの振動子４５のうちいずれか１以上の振動子４５）を振動させる。例えば、動画再生中のあるタイミングにおいて移動体像（例えば、車や動物）が、矢印（始点座標（＋０．４，＋０．２）から終点座標（−０．３，−０．５５））の如く直線的に移動した場合、各振動子４５（振動子４５ａ〜振動子４５ｄ）の振動の有無、強弱の制御などによって、ユーザは、当該移動体像の移動に同期した移動感（上記タイミングにおいて振動の定位が上記矢印の如く直線的に移動するような移動感）を得る。
【００４５】
つまり、上述したように、コンテンツ生成装置の振動付きコンテンツの生成過程において、移動体像の軌跡に応じたベクトル情報を生成することによって、振動エフェクトとして、再生画像内で移動する移動体像の軌跡に同期させた移動感をユーザに与えることができる。言い換えると、コンテンツ生成装置は、振動エフェクトとして、再生画像内で移動する移動体像の軌跡に同期させた移動感をユーザに与えるために、振動付きコンテンツの生成過程において、移動体像の軌跡に応じたベクトル情報を生成している。
【００４６】
本実施形態によれば、振動伝達性に優れた表示装置１が得られる。以下、詳細に説明する。
図７は、ユーザが表示装置１を把持した状態の一例を示す斜視図である。
本実施形態の表示装置１は、タッチディスプレイ２と逆側に振動装置４が設けられている。そのため、ユーザが表示装置１を操作する際には、例えば、図７に示すように、ユーザは振動装置４側に手が接触するようにして表示装置１を把持する。この場合においては、表示装置１（振動子４５）の振動は、ユーザの手を介して、ユーザに伝達される。
【００４７】
図８（Ａ）は、突出部が設けられていない表示装置１０をユーザが把持する際にユーザの手の平と接触する領域の一例を示す平面模式図である。図８（Ｂ）は、本実施形態の表示装置１を把持する際にユーザの手の平と接触する領域の一例を示す平面模式図である。なお、図８（Ａ），（Ｂ）においては、表示装置１０及び表示装置１を表示側（＋Ｚ側）から視た状態を示しており、タッチディスプレイ２及び本体部３等の図示は適宜省略している。
【００４８】
図８（Ａ）に示すように、表示装置１０では、振動装置１１に突出部が設けられていないため、表示装置１０を把持した際にユーザの手と接触する領域Ｔａ１は、ユーザの手と振動装置１１とが重なる領域のほぼ全体となる。これにより、ユーザには、振動装置１１における振動子４５が設けられていない箇所からも振動が伝達される。その結果、どの位置に設けられた振動子４５が振動しているのか把握しにくい、複数の振動子４５によって形成された定位の位置が把握しにくい等、ユーザに振動子４５の振動が適切に伝達されにくいという問題があった。
【００４９】
これに対して本実施形態の表示装置１によれば、表示装置１の筐体の一面として設けられている振動装置４には、突出部４１が設けられている。突出部４１は、振動装置４のベース部４０から把持側（−Ｚ側）に突出して設けられているため、ユーザが振動装置４側を把持して表示装置１を操作する際に、ユーザの手には突出部４１が接触しやすい。また、その一方で、ベース部４０はユーザの手に接触しにくい。すなわち、図８（Ｂ）に示すように、ユーザの手と振動装置４との接触する領域Ｔａ２は、突出部４１とユーザの手とが接触する領域となる。その結果、振動子４５が設けられている以外の箇所から振動がユーザに伝達することが抑制され、結果として、ユーザへの振動伝達性に優れた表示装置１が得られる。
【００５０】
また、本実施形態によれば、突出部４１における各振動子４５同士の間には、括れ部４８が形成されている。そのため、各振動子４５の振動が、突出部４１における隣り合う振動子４５が設けられた箇所まで伝達されにくい。言い換えると、各振動子４５の振動が、突出部４１内で分離されやすい。これにより、振動している振動子４５が設けられている箇所以外の箇所に、振動している振動子４５の振動が伝達されることが抑制されるため、ユーザは、振動している振動子４５の位置を把握しやすい。また、その結果、ユーザは、複数の振動子４５によって形成される定位の位置も正確に把握しやすい。
【００５１】
また、本実施形態によれば、突出部４１における各振動子４５同士の間には、スリット部４２が形成されている。そのため、上記と同様に、各振動子４５の振動が、突出部４１における隣り合う振動子４５が設けられた箇所まで伝達されにくい。言い換えると、スリット部４２により、振動部材４００（突出部４１）における各振動子４５の振動の伝播を調節できる。
【００５２】
また、本実施形態によれば、振動装置４と本体部３とは、突出部４１の中央近傍に形成された締結孔部４６を介して、締結されている。締結孔部４６が形成されている位置は、各振動子４５同士の間を結ぶ線よりも振動装置４の内側であるため、各振動子４５の振動が、本体部３との締結によって減衰されてしまうことを抑制できる。
【００５３】
また、各振動子４５から最も距離が近い締結孔部４６までの距離は、振動子４５ａ〜振動子４５ｄのいずれにおいても略同一となるように設定されている。そのため、本実施形態によれば、振動装置４の振動が箇所によって不均一になることを抑制できる。
【００５４】
また、本実施形態において、振動装置４は、振動子４５の振動によって上下方向（Ｚ軸方向）に振動する（図５参照）。ここで、ベース部４０が形成される際に歪んでしまったような場合には、ベース部４０と本体部３との距離、より詳細には、ベース部４０の接触部４９と本体部３の支持部３１との距離が場所によって異なってしまう。これにより、ベース部４０と本体部３との間に隙間が生じてしまう場合や、ベース部４０が上下方向（Ｚ軸方向）に振動することによって、ベース部４０の接触部４９が本体部３の支持部３１と接触し、場所によって振動が不均一になってしまう場合があった。
【００５５】
これに対して本実施形態によれば、振動装置４と本体部３との間には、弾性部材３２が設けられている。これにより、ベース部４０が歪んで形成されたような場合にも、歪みを弾性部材３２によって吸収できるため、接触部４９が支持部３１に接触して振動が不均一となることが抑制される。
また、本実施形態によれば、振動装置４と本体部３との間に、隙間が形成されることが抑制されるため、表示装置１の防塵性を向上できる。
【００５６】
なお、本実施形態においては、下記の構成を採用することもできる。
【００５７】
本実施形態においては、蓋部５を取り付けることによって貫通孔４７を閉塞する構成としたが、これに限られない。例えば、蓋部５の代わりに表示装置１の機能を拡張する拡張装置を取り付けることもできる。拡張装置としては、例えば、ＵＳＢ（Ｕｎｉｖｅｒｓａｌ  Ｓｅｒｉａｌ  Ｂｕｓ）接続端子を有する接続機器が挙げられる。この場合においては、ユーザは、ＵＳＢ接続によって、外部機器からコンテンツ（例えば、振動付きコンテンツ）を表示装置１に入力し、コンテンツ記憶部３５０に記憶させることができる。
【００５８】
配置線ｐの平面視形状は、四角形状以外の多角形状であってもよい。言い換えると、振動子４５は、振動装置４において平面視四角形状となるように配置されなくてもよく、振動装置４において平面視多角形状となるように配置されてもよい。
【００５９】
スリット部４２は、ベース部４０に形成されていてもよく、突出部４１の突出面４３ｂに形成されていてもよい。
また、スリット部４２は、突出部４１の対角線上に並ぶ各振動子４５同士の間に形成されていてもよい。
また、スリット部４２は、形成されていなくてもよい。
【００６０】
括れ部４８は、例えば、突出部４１の対角線上に並ぶ振動子４５同士の間に形成されていてもよい。
また、括れ部４８の形状は、他の形状であってもよい。例えば、括れ部４８は、平面視形状が、直線で構成されるような形状であってもよい。
【００６１】
貫通孔４７は形成されていなくてもよい。この場合においては、締結孔部４６は、突出面４３ｂの中央（凹部４４の底面の中央）に１つ形成される構成としてもよい。この構成によれば、振動装置４と本体部３とが中央の１か所でのみ締結されるため、振動装置４と本体部３とが締結されることによる振動装置４の振動の減衰を、より低減することができる。
【００６２】
振動装置４と本体部３とは、他の構成によって接触されていてもよい。
図９及び図１０は、他の構成による振動装置４と本体部３との接触状態を示す図である。
図９に示すように、本体部３の支持部３１の代わりに、枠状部３０Ａから内側に突出する弾性部材３４を備える構成としてもよい。この構成によれば、ベース部４０の歪みによらず、ベース部４０の上下方向（Ｚ軸方向）の振動を、弾性部材３４が上下方向に撓むことによって吸収できるため、振動装置４の振動の均一性を向上できる。また、この場合においては、枠状部３０Ａの上方側端部（−Ｚ側端部）に枠状部３０Ａから内側へと突出する保護部３３を設ける構成としてもよい。この場合には、表示装置の防塵性を向上させることができる。
【００６３】
また、図１０に示すように、枠状部３０Ｂとベース部４０とは、ゴム材３５で覆われることによって接続されてもよい。この構成によれば、枠状部３０Ｂとベース部４０との間の隙間がゴム材３５によって閉塞されるため、防塵性を向上させることができる。
【００６４】
ベース部４０は、外周から中央に向かうに従って、突出部４１側（−Ｚ側）に凸となるように傾斜する形状であってもよい。この場合においては、その傾斜角度を緩やかにすることで、表示装置１全体の厚みを変えずに、弾性部材３２の高さＨ１を大きく設定することができる。これにより、ベース部４０の歪みが大きい場合にも、弾性部材３２によって歪みを吸収でき、結果として、振動装置４の振動の均一性を向上できる。
【００６５】
次に、第２実施形態について説明する。
第２実施形態は、第１実施形態に対して、突出部が離間して複数設けられている点において異なる。
なお、上記実施形態と同様の形態については、適宜同一の符号を付けること等により説明を省略する。
【００６６】
図１１（Ａ），（Ｂ）及び図１２は、本実施形態の表示装置１Ａを示す図である。図１１（Ａ）は、表示装置１Ａをタッチディスプレイ２側（表示側）から視た斜視図である。図１１（Ｂ）は、表示装置１Ａを振動装置４Ａ側（把持側）から視た斜視図である。図１２は、表示装置１Ａの分解斜視図である。
【００６７】
本実施形態の表示装置１Ａは、図１１（Ａ），（Ｂ）及び図１２に示すように、平面視（ＸＹ面視）矩形状である。表示装置１Ａは、タッチディスプレイ２と、本体部３と、振動装置４Ａと、蓋部５とを備える。
【００６８】
図１３（Ａ）〜図１３（Ｃ）は、振動装置４Ａを示す図である。図１３（Ａ）は、平面図（ＸＹ面図）である。図１３（Ｂ）は、図１３（Ａ）におけるＣ−Ｃ断面図（ＺＸ断面図）である。図１３（Ｃ）は、図１３（Ａ）におけるＤ−Ｄ断面図（ＺＸ断面図）である。
【００６９】
振動装置４Ａは、図１３（Ａ）〜図１３（Ｃ）に示すように、振動部材４００Ａと、振動子４５（振動子４５ａ，４５ｂ，４５ｃ，４５ｄ）とを備える。
振動部材４００Ａは、ベース部４０Ａと、複数の突出部４１Ａ（突出部４１Ａａ，４１Ａｂ，４１Ａｃ，４１Ａｄ）とを備える。
【００７０】
ベース部４０Ａは、平面視矩形状である。ベース部４０の縁部には、図１３（Ｂ）に示すように、ベース部４０Ａから表示側（＋Ｚ側）に突出して接触部４９が設けられている。
【００７１】
ベース部４０Ａの側面、より詳細には、接触部４９には、図１２及び図１３（Ｂ），（Ｃ）に示すように、表示側（＋Ｚ側）に開口するスリット部（振動調節部）４２Ａ（スリット部４２Ａａ，４２Ａｂ，４２Ａｃ，４２Ａｄ）が形成されている。スリット部４２Ａは、接触部４９の各辺の中央に形成されている。言い換えると、各スリット部４２Ａは、各振動子４５同士の間にそれぞれ形成されている。図１１（Ａ），（Ｂ）に示すように、振動装置４Ａが本体部３と締結されることにより、スリット部４２Ａは、本体部３の内側に入り込み、外側からは視認されなくなる。
【００７２】
ベース部４０Ａの平面視（ＸＹ面視）中央には、平面視円形状の凹部４４が形成されている。凹部４４の底面には、第１実施形態と同様に、貫通孔４７と、締結孔部４６とが形成されている。
【００７３】
突出部４１Ａは、ベース部４０Ａの隅（角部）に、ベース部４０Ａの表面４３０から把持側（−Ｚ側）に突出して設けられている。各突出部４１Ａは、互いに離間して設けられている。各突出部４１Ａは、本実施形態においては、円柱形状である。
【００７４】
各突出部４１Ａは、図１３（Ａ），（Ｃ）に示すように、突出面４３１（突出面４３１ａ，４３１ｂ，４３１ｃ，４３１ｄ）を有する第１壁部４１１Ａ（第１壁部４１１Ａａ，４１１Ａｂ，４１１Ａｃ，４１１Ａｄ）と、第１壁部４１１Ａとベース部４０Ａとを接続する第２壁部４１２Ａ（第２壁部４１２Ａａ，４１２Ａｂ，４１２Ａｃ，４１２Ａｄ）とをそれぞれ備えている。図１３（Ｃ）に示すように、第２壁部４１２Ａの表示側（＋Ｚ側）には、それぞれ振動子４５が設けられている。言い換えると、各突出部４１Ａは、振動子４５ごとに、互いに離間して設けられている。
【００７５】
各突出部４１Ａの平面視における大きさ、すなわち、各突出面４３１の平面視における大きさは、各振動子４５の平面視における大きさと略同一か、やや大きい程度に設定されている。各突出面４３１の平面視における大きさを、各振動子４５の平面視における大きさに近づけるほど、ユーザの手に接触する突出部４１Ａの箇所が振動子の位置と略同一に近づくため、ユーザが振動子４５の位置を把握しやすくなる。
【００７６】
本実施形態の表示装置１Ａによれば、各突出部４１Ａがそれぞれ離間して設けられているため、ユーザが振動装置４側を把持して表示装置１Ａを操作する際において、ユーザの手は、突出部４１Ａには接触しやすく、ベース部４０Ａには接触しにくい。そして、各突出部４１Ａには振動子４５が設けられているため、ユーザの手には振動子４５が設けられている箇所（突出部４１Ａ）から振動が伝達される一方、振動子４５が設けられていない箇所（ベース部４０Ａ）から振動が伝達されることは抑制される。したがって、本実施形態によれば、振動伝達性に優れた表示装置が得られる。
【００７７】
また、各突出部４１Ａが離間して設けられているため、各振動子４５の振動は分離されやすく、ユーザは、振動している振動子４５の位置を正確に把握しやすい。
【００７８】
また、本実施形態によれば、スリット部４２Ａは、ベース部４０Ａに形成されている。そして、振動装置４が本体部３と締結された際には、スリット部４２Ａは、本体部３の内側に入り込み、外側からは視認されなくなる。これにより、スリット部４２Ａを通して表示装置１Ａの内部に塵等が入り込むことを抑制できる。
【００７９】
なお、本実施形態においては、下記の構成を採用することもできる。
【００８０】
スリット部４２Ａは、ベース部４０Ａの表面４３０に形成されていてもよい。
また、スリット部４２Ａは設けられていなくてもよい。
【００８１】
突出部４１Ａは、例えば、四角柱状等、他の形状であってもよい。
また、本実施形態においては、各突出部４１Ａは、振動子４５ごとにそれぞれ離間した構成としたが、これに限られない。例えば、突出部は、１つの突出部に２つの振動子４５が設けられ、それぞれ離間するような構成としてもよい。また、本実施形態においては、図９及び図１０における上記説明と同様に、支持部３１を備えない構成としてもよい。
【００８２】
上記の第１実施形態及び第２実施形態においては、振動子が４つ設けられている場合について例示したが、これに限られない。設けられる振動子は、２つであっても、３つであってもよく、また、５つ以上であってもよい。
【００８３】
また、上記の第１実施形態及び第２実施形態においては、電子機器としてタッチディスプレイを備えた表示装置を例示して説明したが、これに限られない。電子機器としては、例えば、ボタンによって操作するような表示装置であってもよく、また、表示部を備えないような電子機器であってもよい。
【００８４】
また、上記の第１の実施形態及び第２実施形態においては、電子機器として貫通孔４７を備える構成として説明したが、これに限られず、貫通孔４７を設けない構成としてもよい。
【００８５】
また、上記の第１実施形態及び第２実施形態においては、電子機器が平面視で矩形形状を有するものとして説明したが、これに限られず、ユーザが把持しやすいように、矩形の角部に丸みを与えてもよく、また、電子機器を平面視で円形形状としてもよい。
【００８６】
また、本発明の振動装置は、電子機器以外にも適用できることは言うまでもない。
【符号の説明】
【００８７】
１…表示装置（電子機器）、４，４Ａ…振動装置、４０，４０Ａ…ベース部、４１，４１Ａ…突出部、４１ａ，４１１Ａ…第１壁部、４１ｂ，４１２Ａ…第２壁部、４２，４２Ａ…スリット部（振動調節部）、４３ｂ，４３１…突出面、４５…振動子、４００，４００Ａ…振動部材
【図１】
2015121918.tif 000003
【図２】
2015121918.tif 000004
【図３】
2015121918.tif 000005
【図４】
2015121918.tif 000006
【図５】
2015121918.tif 000007
【図６】
2015121918.tif 000008
【図７】
2015121918.tif 000009
【図８】
2015121918.tif 000010
【図９】
2015121918.tif 000011
【図１０】
2015121918.tif 000012
【図１１】
2015121918.tif 000013
【図１２】
2015121918.tif 000014
【図１３】
2015121918.tif 000015